(57)【特許請求の範囲】
【請求項１】
パチンコ機本体に差込可能な筒状の首部材と、前記首部材の前方で固定される前方部材と、前記首部材と前記前方部材との間で回動操作可能に組み付けられるレバー部材とからなるハンドルが設置されており、前記レバー部材の回動位置に応じた打ち出し強度で遊技球を打ち出すパチンコ機であって、
前記前方部材の後面と前記レバー部材の前面との何れか一方の外周縁側に、当該外周縁に沿って略一周にわたり連続又は断続的に突出する突起部を設ける一方、何れか他方の外周縁側に、前記突起部が嵌入可能な凹部を設け、
組み立て状態において、前記突起部を前記凹部内へ嵌入させるとともに、
前記レバー部材と前記首部材との間に、円筒状の本体と当該本体を前後に仕切る仕切板とを備えた係着部材を設け、前記仕切板の中央部に、前記レバー部材の軸部を挿通させるための挿通孔を開設する一方、前記係着部材の外周側と中央側とに、前記係着部材を前記首部材に係着するための係着部を夫々設け、さらに、前記外周側の係着部での係着位置と前記中央側の係着部での係着位置とを、前記係着部材の径方向で対向させたことを特徴とするパチンコ機。
【請求項２】
前記レバー部材の外周縁に沿って、前方へ突出する被り部を周設し、前記前方部材が前記被り部内に嵌め込まれた状態で前記首部材に固定されることを特徴とする請求項１に記載のパチンコ機。
【請求項３】
前記前方部材の後面を板金で覆ったことを特徴とする請求項１又は２に記載のパチンコ機。
【発明の詳細な説明】
【技術分野】
【０００１】
本発明は、回動操作可能なハンドルを有するパチンコ機に関するものである。
【背景技術】
【０００２】
従来、一般的なパチンコ機には、回動操作可能なハンドルが備えられており、遊技者がハンドルを回動操作すると、遊技球が遊技領域へ打ち出されるようになっている。そして、このハンドルとしては、たとえば特許文献１に開示されているようなものがあり、パチンコ機本体に差し込まれて固定される首部材と、首部材の前端に係着される係着部材と、係着部材の前方に固定される前方部材と、係着部材と前方部材との間で回動可能に取り付けられるレバー部材とを備えている。そして、組み立て状態において、前方部材の後面がレバー部材の前面に回動操作に支障をきたさない程度で出来る限り近接するように設計しており、両者間に生じる隙間を最小限としている。
【先行技術文献】
【特許文献】
【０００３】
【特許文献１】特開２００３−２１０７０４号公報
【発明の概要】
【発明が解決しようとする課題】
【０００４】
近年、遊技者が長時間にわたって遊技を継続する際に、手が疲れる等の理由からレバー部材を所定の回動位置で固定してしまうことが多々ある。そして、レバー部材を固定するにあたっては、前方部材とレバー部材との隙間に紙片等を挟み込むという手法がとられている。この手法に対し、上記特許文献１に記載の構成では、前方部材とレバー部材とを出来る限り近接させることによって対応している。しかしながら、レバー部材を回動可能としなければならない以上、どうしても両部材間に隙間が必要となるため、上記特許文献１に記載の構成では、紙片等の挟み込みを防止することはできなかった。そして、前方部材とレバー部材との隙間に紙片等を挟み込まれると、前方部材にひびが入ったり、ハンドルがガタついたりするという問題が生じるし、そもそも紙片等の挟み込みによるレバー部材の固定も現在禁止されている行為となっている。
【０００５】
そこで、本発明は、上記問題に鑑みなされたものであって、前方部材とレバー部材との間の隙間に紙片等が挟み込まれたりしないハンドルを有するパチンコ機を提供しようとするものである。
【課題を解決するための手段】
【０００６】
上記目的を達成するために、本発明のうち請求項１に記載の発明は、パチンコ機本体に差込可能な筒状の首部材と、前記首部材の前方で固定される前方部材と、前記首部材と前記前方部材との間で回動操作可能に組み付けられるレバー部材とからなるハンドルが設置されており、前記レバー部材の回動位置に応じた打ち出し強度で遊技球を打ち出すパチンコ機であって、前記前方部材の後面と前記レバー部材の前面との何れか一方の外周縁側に、当該外周縁に沿って略一周にわたり連続又は断続的に突出する突起部を設ける一方、何れか他方の外周縁側に、前記突起部が嵌入可能な凹部を設け、組み立て状態において、前記突起部を前記凹部内へ嵌入させるとともに、前記レバー部材と前記首部材との間に、円筒状の本体と当該本体を前後に仕切る仕切板とを備えた係着部材を設け、前記仕切板の中央部に、前記レバー部材の軸部を挿通させるための挿通孔を開設する一方、前記係着部材の外周側と中央側とに、前記係着部材を前記首部材に係着するための係着部を夫々設け、さらに、前記外周側の係着部での係着位置と前記中央側の係着部での係着位置とを、前記係着部材の径方向で対向させたことを特徴とする。
請求項２に記載の発明は、請求項１に記載の発明において、前記レバー部材の外周縁に沿って、前方へ突出する被り部を周設し、前記前方部材が前記被り部内に嵌め込まれた状態で前記首部材に固定されることを特徴とする。
請求項３に記載の発明は、請求項１又は２に記載の発明において、前記前方部材の後面を板金で覆ったことを特徴とする。
【発明の効果】
【０００７】
本発明によれば、前方部材の後面とレバー部材の前面との何れか一方の外周縁側に、当該外周縁に沿って略一周にわたり連続又は断続的に突出する突起部を設ける一方、何れか他方の外周縁側に、突起部が嵌入可能な凹部を設け、組み立て状態において、突起部を凹部内へ嵌入させているため、前方部材とレバー部材との隙間へ紙片等を挟み込む行為を防止することができ、ひいてはハンドルが壊れる等の問題も防止することができる。
また、レバー部材と首部材との間に、円筒状の本体と当該本体を前後に仕切る仕切板とを備えた係着部材を設け、係着部材の外周側と中央側とに、係着部材を首部材に係着するための係着部を夫々設け、外周側と中央側との両側において係着部材を首部材に係着するように構成しているため、係着部材を強引に前方へ引っ張ったとしても首部材との間に隙間が生じない。したがって、首部材と係着部材との間へのコインや紙等の挟み込みを防止することができるし、ひいてはハンドルが壊れる等の問題も防ぐことができる。
さらに、外周側の係着部での係着位置と中央側の係着部での係着位置とが、係着部材の径方向で対向するように構成しているため、特に係着位置において首部材と係着部材との連結が強固となり、コイン等の挟み込みをより確実に防止することができる。
また、請求項２に記載の発明によれば、レバー部材の外周縁に沿って、前方へ突出する被り部を周設し、前方部材を被り部内に嵌め込まれた状態で首部材に固定しているため、前方部材とレバー部材との間へ紙片等を挟み込む行為をより確実に防止することができる。
さらに、請求項３に記載の発明によれば、前方部材の後面を板金で覆っているため、たとえ紙片等が挟み込まれたとしても傷がつきにくくなっており、前方部材が損傷しにくい。
【図面の簡単な説明】
【０００８】
【図１】パチンコ機を正面側から示した説明図である。
【図２】パチンコ機を後面側から示した説明図である。
【図３】カバー部材の内部を示した説明図である。
【図４】ハンドルを分解した状態を前方からの斜視説明図である。
【図５】ハンドルを分解した状態を後方からの斜視説明図である。
【図６】（ａ）は首部材の斜視説明図、（ｂ）は首部材を正面側から示した説明図である。
【図７】首部材のＡ−Ａ線断面説明図である。
【図８】（ａ）は係着部材の斜視説明図、（ｂ）は係着部材を正面側から示した説明図である。
【図９】係着部材のＢ−Ｂ線断面説明図である。
【図１０】前板及び装飾部材を上方から示した説明図である。
【図１１】前板、装飾部材、及びレバー部材を一体化した状態における断面説明図である。
【図１２】係着部材を首部材に組み付ける様子を示した説明図である。
【図１３】係着部材を首部材に組み付けた状態における断面説明図である。
【発明を実施するための形態】
【０００９】
以下、本発明の一実施形態となるパチンコ機について、図面にもとづき詳細に説明する。
【００１０】
（パチンコ機の説明）
図１は、パチンコ機１を正面側から示した説明図である。また、図２は、パチンコ機１を後面側から示した説明図であり、図３は、カバー部材４４の内部を示した説明図である。
パチンコ機１は、遊技盤２の前面に形成された遊技領域２ａ内へ遊技球を打ち込み、遊技領域２ａ内を流下させて遊技するものであって、遊技盤２は、支持体として機能する機枠３の前面上部に、金属製のフレーム部材であるミドル枠５を介して設置されている。また、遊技盤２の前方には、ガラス扉を嵌め込み設置してなる前扉４が、左端縁を軸として片開き可能に機枠３に蝶着されており、該前扉４によって閉塞される遊技盤２の前方空間が遊技領域２ａとされている。
【００１１】
当該遊技領域２ａは、遊技盤２の前面に円弧状に配設された外レール及び内レール等によって囲まれており、両レール間が遊技球を遊技領域２ａ内へ打ち込むための発射通路とされている。また、遊技領域２ａの略中央には、「０」〜「９」の数字や絵柄等からなる「図柄」を表示するための図柄表示部６が設けられている。さらに、遊技領域２ａには、遊技球が通過可能なゲート部材４１、一対の爪片を開閉動作可能に備えたチューリップ式電動役物１７、開閉可能な扉部材を有する大入賞装置１８、多数の遊技釘４２、４２・・や風車４３等が設置されている。
【００１２】
また、機枠３の前面側であって上記遊技盤２の下方には、遊技球を発射装置１０へ供給するための供給皿７、及び供給皿７から溢れた遊技球を貯留するための貯留皿８が取り付けられており、どちらもミドル枠５の開放等に伴い機枠３に対して片開き可能となっている。さらに、貯留皿８の右側には、発射装置１０を作動させるためのハンドル９が回動操作可能に設置されている。
さらに、前扉４の上部には、効果音や各種メッセージ等を報音する一対のスピーカ１４、１４が設けられており、前扉４の側部には、パチンコ機１の遊技状態等に応じて点灯・点滅する複数のＬＥＤを備えたランプ部材１５、１５が設けられている。
【００１３】
一方、機枠３の後面側には、供給皿７へ貸球や賞品球として払い出される遊技球を貯留するための貯留タンク１１、当該貯留タンク１１と連結された払出装置１２、払出装置１２における払い出し動作を制御する払出制御装置６４、及び各制御基板や装置・部材に電源電圧を供給するための電源装置６５等が設置されている。また、４４は、合成樹脂製のカバー部材であって、当該カバー部材４４の内部には、図柄表示部６に「図柄」を表示させるための液晶表示装置（図示せず）、遊技に係る主たる制御（たとえば、所謂「大当たり抽選」等）を実行するためのメイン制御装置２０、図柄表示部６における表示動作等を制御する表示制御装置６３、及び払出装置１２や表示制御装置６３、スピーカ１４やランプ部材１５等の動作を統合的に制御するサブ制御装置２２等が設置されている。尚、６１は、パチンコ機１をトランスに接続するためのプラグであり、６２は、アースである。
【００１４】
以上のようなパチンコ機１では、遊技者によってハンドル９が回動操作されると、発射装置１０が作動して遊技球が遊技領域２ａ内へ打ち込まれる。そして、遊技領域２ａ内を流下する遊技球がチューリップ式電動役物１７へ入賞すると、メイン制御装置２０にて「大当たり抽選」を行い、所謂「大当たり」である場合には、図柄表示部６に「図柄」を所定態様（たとえば、「７、７、７」等）で表示させた後、大入賞装置１８の扉部材を所定回数にわたって断続的に開成させるといった所謂「大当たり状態」を生起させる。
【００１５】
（ハンドルの説明）
ここで、本発明の要部となるハンドル９について、図４〜図１１にもとづき詳細に説明する。図４及び図５は、ハンドル９の分解斜視図であり、図４は前方からの斜視図、図５は後方からの斜視図である。また、図６（ａ）は首部材２５の斜視図、図６（ｂ）は首部材２５の正面図であり、図７は首部材２５のＡ−Ａ線断面説明図である。さらに、図８（ａ）は係着部材２６の斜視図、図８（ｂ）は係着部材２６の正面図であり、図９は係着部材２６のＢ−Ｂ線断面説明図である。加えて、図１０は前板２９及び装飾部材３０を上方から示した説明図であり、図１１は前板２９、装飾部材３０、及びレバー部材２７を一体化した状態における断面説明図である。
【００１６】
ハンドル９は、パチンコ機１から前方へ突出するような姿勢で設置されるものであり、図４及び図５に示す如く、首部材２５と、係着部材２６と、レバー部材２７と、スペーサ２８と、前板２９と、装飾部材３０とを組み付けてなる。首部材２５は、前後方向に長い筒状体であって、その後端をパチンコ機１本体に差し込むようにして取り付けられる。首部材２５の内部空間２５ａには、レバー部材２７の回動量を検知するためのボリューム部材（図示せず）が設置されている。該ボリューム部材は、発射装置１０と電気的に接続されており、ボリューム部材が検知したレバー部材２７の回動量に応じて、発射装置１０では遊技球の打ち出し強度を調整するようになっている。また、首部材２５の前端面には、前方へ突出するリブ３１がレバー部材２７の回動軸周りに周設されており、リブ３１の前端外周縁には径方向外側へ突出するフランジ部３２が設けられている。一方、リブ３１の前端内周縁には、径方向内側へ突出する一対の係合片３３、３３が設けられている。そして、フランジ部３２の後面側に後述する係着部材２６の係止突起５４を、係合片３３、３３の後面側に係着部材２６の係合突起５５を夫々係止又は係合させることにより、係着部材２６を首部材２５に係着可能としている。さらに、リブ３１にはネジ止め部３７が設けられており、係着部材２６を係着させた後、図示しないネジを利用してネジ止め可能としている。尚、３４は、係止突起５４をフランジ部３２の後面側へ導くための切り欠きであり、３５は、レバー部材２７の軸部７０を挿通させるための挿通孔である。また、３６は、発射装置１０の作動を停止させ、遊技球の打ち出しを停止させるためのストップボタンである。
【００１７】
係着部材２６は、首部材２５のリブ３１に係着される部材であって、首部材２５と略同径で前後方向へ延びる筒状の本体５１と、当該本体５１の略中央に設けられ、本体５１を前部５１ａと後部５１ｂとに仕切る仕切板５２とからなる。本体５１の後部５１ｂ（すなわち、係着部材２６の外周側）には、首部材２５のネジ止め部３７にネジ止めするためのネジ孔５３が設けられているとともに、ネジ孔５３を基点として右回りへ１２０度の位置及び左周りへ１２０度の位置に、それぞれ係止突起５４が径方向内側へ突設されている。各係止突起５４は、首部材２５のリブ３１に設けられた切り欠き３４よりも小さく形成されており、切り欠き３４を介してフランジ部３２の後面側へ進入可能となっている。また、各係止突起５４は先端へ向けて先細りする形状に形成され（すなわち、各係止突起５４の両側面及び後面がテーパ面とされ）ており、切り欠き３４内へスムーズに進入可能となっている。一方、仕切板５２（すなわち、係着部材２６の中央側）には、一対の係合突起５５が下方へ切り起こし状に設けられている。各係合突起５５は、径方向外側へ折り曲げられるＬ字状で、レバー部材２７の回動軸を中心とした円弧状に形成されており、首部材２５のリブ３１の内側に嵌め込み可能とされている。また、各係合突起５５は、その一部が上記係止突起５４と径方向で対向するような位置に設けられている。加えて、仕切板５２には、その前面に後述する前板２９を固定するための３つの固定部５６、５６・・が設けられているとともに、中央にレバー部材２７の軸部７０を挿通させるための挿通孔５７が開設されている。
【００１８】
レバー部材２７は、遊技者が把持して回動させる部材であって、略中心位置から後方へ突設された軸部７０と、軸部７０の前端から径方向外側へ拡がるように延設された板部７１と、板部７１の外周縁から一旦前方へ立ち上げられた後に後方へ折り返された把持部７２とを一体的に形成してなる。軸部７０の後端部は断面Ｄ字状に形成されており、首部材２５内に設置されたボリューム部材に接続される。また、板部７２には、その前面略中央に後述するスペーサ２８を外装可能な案内突起７４が前方へ突設されているとともに、案内突起７４を囲むようにレバー部材２７の回動を許容するための円弧状のスリット７３、７３が設けられている。また、把持部７２は、その周面が波状に形成されており、遊技者が把持しやすい形状とされている。さらに、把持部７２の前面内周縁には、後方へ僅かに凹む凹部７５が内周縁に沿って周設されている一方、把持部７２の前面外周縁には、前方へ僅かに突出する被り部７６が外周縁に沿って周設されている。
【００１９】
スペーサ２８は、レバー部材２７を滑らかに回動させるための筒状体である。そして、当該スペーサ２８は、その後端部の内周面を案内突起７４の外周面に当接させた状態で案内突起７４に外装させる一方、前端部の外周面を後述する前板２８の案内凹部４６内へ嵌入させて取り付けられる。
【００２０】
前板２９は、レバー部材２７の前方位置で係着部材２６に固定され、当該前板２９と係着部材２６によりレバー部材２７を前後から挟み込むための円板状部材であって、レバー部材２７よりも一回り小径とされ、外周縁がレバー部材２７の被り部７６の内周面に当接した状態で組み付け可能となっている。当該前板２９の後面中央部には、スペーサ２８を嵌入可能な案内凹部４６が設けられている。また、前板２９の後面で案内凹部４６の周囲には、前板２９を係着部材２６に固定するための３つの固定突起４７、４７・・が後方へ突設されており、各固定突起４７はレバー部材２７のスリット７３内を貫通して後方へ突出可能となっている。さらに、前板２９の後面の更に外周部（外周縁側）には、後方へ僅かに突出する複数の塞止リブ４８、４８・・が同一円周上を略一周にわたり断続的に設けられている。各塞止リブ４８は、レバー部材２７の回動軸を中心とした円弧状に形成されており、前板２９をレバー部味２７の前面に組み付けた際、レバー部材２７の凹部７５内に位置するようになっている。加えて、前板２９の前面外周縁には、前方へ突出する被りリブ４５が設けられている。尚、４９は、装飾部材３０を係止させるための係止孔である。また、案内凹部４６内には、嵌入したスペーサ２８を支持するための支持突起４６ａ、４６ａ・・が設けられている。さらに、前板２９の後面は板金２９ａで被覆されている。
装飾部材３０は、前板２９の前面に取り付けられる円板状部材であって、係止孔４９に係止可能な係止片５０を備えているとともに、前板２９より僅かに小径とされ、前板２９の被りリブ４５の内側に嵌め込むようにして取付可能となっている。
【００２１】
以上のように構成されるハンドル９の組み立てについて説明する。
まず、上述の如く装飾部材３０を被りリブ４５の内側に嵌め込みながら、係止片５０、５０・・を係止孔４９、４９・・へ係止させ、前板２９の前面に組み付ける。次に、前板２９とレバー部材２７との間に上述の如き態様でスペーサ２８を介在させながら、前板２９の固定突起４７、４７・・を、レバー部材２７の前面側からスリット７３、７３を介して後方へ突出させ、レバー部材２７の前面に前板２９を組み付ける。また、係着部材２６をレバー部材２７の後方から近づけ、固定突起４７、４７・・を係着部材２６の前面に設けられている固定部５６、５６・・にネジ止めし、前板２９、レバー部材２７、及び係着部材２６を一体化する。尚、この状態においては、前板２９がレバー部材２７の前面において被り部７６の内側に嵌め込まれ、前板２９の外周縁が被り部７６の内周面に当接しているとともに、前板２９の塞止リブ４８、４８・・がレバー部材２７の凹部７５内に位置している。
【００２２】
さらに、レバー部材２７等と一体化された係着部材２６を、図１２及び図１３に示す（尚、図１２及び図１３においてはレバー部材２７等を省略している）ようにして、首部材２５の前面に設けられたリブ３１へ外装させて組み付ける。すなわち、係着部材２６の係止突起５４、５４をリブ３１の切り欠き３４、３４に対応させ、係着部材２６を首部材２５側へ押し込む。すると、係止突起５４、５４がフランジ部３２の後方側へ移動して首部材２５と係着部材２６とが重なり合うとともに、係合突起５５、５５がリブ３１の内側で係合片３３、３３よりも後方側へ移動する。その後、係着部材２６を回転させると、係止突起５４、５４がフランジ部３２の後面に係止するとともに、係合突起５５、５５が係合片３３、３３に係合する。そして、ネジ孔５３及びネジ止め部３７において首部材２５と係着部材２６とをネジ止めすれば、ハンドル９の組み立ては完了となる。
【００２３】
（本実施形態による効果）
上述の如き構成を有するハンドル９を備えたパチンコ機１によれば、前板２９の後面の外周縁側に複数の塞止リブ４８、４８・・を略一周にわたり断続的に突設させるとともに、レバー部材２７の前面に、前板２９を組み付けた際に塞止リブ４８、４８・・を受け入れ可能な凹部７５を周設している。したがって、レバー部材２７と前板２９との隙間へ紙片等を挟み込む行為を防止することができ、ひいてはハンドル９が壊れる等の問題も防止することができる。
【００２４】
また、レバー部材２７の前面外周縁に沿って被り部７６を前方へ突設させており、前板２９を被り部７６内へ嵌め込むようにして組み付け、組み付け状態において前板２９の外周縁を被り部７６の内周面に当接可能としている。したがって、レバー部材２７と前板２９との間へ紙片等を挟み込む行為をより確実に防止することができる。
さらに、前板２９の後面を、板金２９ａによって覆っているため、たとえ紙片等が挟み込まれたとしても傷がつきにくくなっており、前板２９や装飾部材３０が損傷しにくい。
【００２５】
一方、係着部材２６の外周縁側に係止突起５４、５４を、中央側に係合突起５５、５５を夫々設けており、首部材２５に対して、係止突起５４、５４をフランジ部３２に係止させるとともに、係合突起５５、５５を係合片３３、３３に係合させることによって、両部材を一体化している。このように、外周側と中央側との両側において係着部材２６を首部材２５に係着しているため、係着部材２６を強引に前方へ引っ張ったとしても首部材２５との間に隙間が生じない。したがって、首部材２５と係着部材２６との間へのコインや紙等の挟み込みを防止することができるし、ひいてはハンドル９が壊れる等の問題も防ぐことができる。
また、係止突起５４と係合突起５５とが径方向で対向するように設けており、係止突起５４の係止位置と係合突起５５の係合位置とが径方向で対向するように構成している。したがって、特に係止位置及び係合位置において首部材２５と係着部材２６との連結が強固となり、コイン等の挟み込みをより確実に防止することができる。
【００２６】
さらに、係着部材２６において、係止突起５４、５４及び首部材２５へネジ止めするためのネジ孔５３を１２０度間隔で設けている。したがって、周方向で係着部材２６全体を均等に首部材２５へ連結することができ、コイン等の挟み込みを一層確実に防止することができる。
加えて、前板２９の前面外周縁に沿って被りリブ４５を前方へ突設させており、装飾部材３０を被りリブ４５の内側に嵌め込むようにして組み付け可能としている。したがって、装飾部材３０と前板２９との間へのコインや紙等の挟み込みも防止することができる。
【００２７】
（本発明の変更例）
なお、本発明のパチンコ機に係る構成は、上記実施形態に何ら限定されるものではなく、ハンドルに係る構成や遊技機本体の構成について、本発明の趣旨を逸脱しない範囲で必要に応じて適宜変更可能である。
【００２８】
たとえば、係着部材２６に設ける係止突起５４や係合突起５５の数や位置、形状等は適宜変更可能であって、上記実施形態とは異なり、係止突起５４による係止位置と係合突起５５による係合位置とが周方向で交互になるように係止突起５４や係合突起５５を設けてもよい。
また、係止突起５４を係止させる構成についても、上記実施形態の構成に限定されることはなく、リブ３１の外周面に、係止突起５４が係止可能な係止溝を刻設してもよいし、リブ３１を設ける代わりに、首部材２５の前面に係止突起５４や係合突起５５が係止・係合可能な係止凹部及び係合凹部を設ける構成を採用することも可能であり、係止構造や係合構造についても適宜変更可能である。尚、上記実施形態とは逆に、係着部材２６側に凹部等の被係止部や被係合部を、首部材２５側に突起等の係止部や係合部を夫々設ける構成についても当然採用可能である。
【００２９】
さらに、上記実施形態では、前板２９と装飾部材３０とを別体としているが、１つの前方部材として一体成形しても何ら問題はないし、係着部材２６を首部材２５の一部として一体成形し、前方部材を首部材に直接固定するとしてもよい。
加えて、上記実施形態では、前板２９に塞止リブ４８、４８・・を、レバー部材２７に凹部７５を夫々形成しているが、レバー部材２７に突条を形成し、前板２９の後面に突条が嵌入可能な凹溝を形成する構成を採用することも可能である。また、前板２９の後面等に突起部を形成するにあたり、複数の塞止リブ４８、４８・・を断続的に形成するのではなく、一連の突条として突起部を設けてもよい。
【符号の説明】
【００３０】
１・・パチンコ機、９・・ハンドル、２５・・首部材、２６・・係着部材、２７・・レバー部材、２８・・スペーサ、２９・・前板（前方部材）、２９ａ・・板金、３０・・装飾部材（前方部材）、３１・・リブ、３２・・フランジ部、３３・・係合片、３４・・切り欠き、３７・・ネジ止め部、４５・・被りリブ、４６・・案内凹部、４６ａ・・支持突起、４７・・固定突起、４８・・塞止リブ（突起部）、５１・・本体、５２・・仕切板、５３・・ネジ孔、５４・・係止突起、５５・・係合突起、５６・・固定部、７０・・軸部、７１・・板部、７２・・把持部、７３・・スリット、７４・・案内突起、７５・・凹部、７６・・被り部。
【図１】
0005467386.tif 000002
【図２】
0005467386.tif 000003
【図３】
0005467386.tif 000004
【図４】
0005467386.tif 000005
【図５】
0005467386.tif 000006
【図６】
0005467386.tif 000007
【図７】
0005467386.tif 000008
【図８】
0005467386.tif 000009
【図９】
0005467386.tif 000010
【図１０】
0005467386.tif 000011
【図１１】
0005467386.tif 000012
【図１２】
0005467386.tif 000013
【図１３】
0005467386.tif 000014